(57)【要約】      （修正有）【課題】発熱電装部品を効率的に冷却すると共に、安全のため、雨水の浸入を防ぐ空気調和機用電源箱を提供する。【解決手段】放熱板の構成要素として複数設けられた放熱フィン５ｂの延長方向に対向する、電源箱６の縁辺部に、放熱フィン５ｂの間隔部分に向けて、複数の板状の突起９を備え、その板状の突起９を、先方に行くに従いその幅を細くして、電源箱６の開口部７と放熱板との隙間を突起９で覆い、雨水の浸入を防ぐようにした。【選択図】図１
2011058726.tif 000002
【特許請求の範囲】
【請求項１】
発熱部品と、該発熱部品を空冷するための放熱部品と、電源箱とを有する電源装置であって、前記放熱部品は前記発熱部品に対して熱的に密着する放熱板と、該放熱板の反発熱部品側に立設された薄板で構成される複数の放熱フィンとからなり、前記発熱部品と前記放熱板とが前記電源箱に収納され、前記複数の放熱フィンはそれぞれ鉛直方向に配置され、かつ、前記電源箱に設けた開口部を貫通して電源箱の外部に露出され、前記複数の放熱フィンの上端側と対向する電源箱開口部の縁辺部に、それぞれの隣り合う放熱フィン相互間の間隔部分に向かって延設された板状の突起を設けた電源装置。
【請求項２】
板状の突起が先端に向かってその幅が細くなる請求項１記載の電源装置。
【請求項３】
複数の放熱フィンの上端側と対向する電源箱開口部の辺縁部で、水平方向の壁状突起を前記放熱フィンと同じ方向に向かって突設し、さらに、前記壁状突起と前記放熱フィン相互間の間隔部分に向かって延設されたそれぞれの板状突起とを連結するリブを設けた請求項１または２記載の電源装置。
【請求項４】
請求項１乃至３のいずれか１項に記載の電源装置を搭載した空気調和機。
【発明の詳細な説明】
【技術分野】
【０００１】
本発明は、屋外などの水飛沫に曝される環境で使用される電源装置、および室外機に当該電源装置を搭載した空気調和機に関するものである。
【背景技術】
【０００２】
従来の空気調和機において、室外機の電源装置は放熱板を室外通風回路に暴露させるための開口部があり、この開口部からの雨水の浸入を防ぐために、放熱板の上方に覆いを設けていた。図７は従来の空気調和機用電源装置の断面図である。図７に示す従来の空気調和機用電源装置では、開口部１０２から露出した放熱板１０１の上側部分を覆って雨水の浸入を防止し、下側部分は開放することで対流による放熱板の冷却を可能にする覆い１０３を取り付け、開口部１０２から電装品収納側１０４への雨水の浸入を防止していた。
【先行技術文献】
【特許文献】
【０００３】
【特許文献１】特開２００７−１９８６８４号公報
【発明の概要】
【発明が解決しようとする課題】
【０００４】
しかしながら、従来の技術では、次のような課題が発生していた。
【０００５】
すなわち、開口部の覆いは、放熱板に設けられた放熱フィンに直交する位置にあるため、放熱フィンに沿って流れる冷却空気の気流を妨げることになり、効率的な放熱を損なっていた。
【課題を解決するための手段】
【０００６】
前記従来の課題を解決し、雨水の浸入を防ぎながら、電装品の効率的な冷却を得るために、本発明の空気調和機用電源装置はＡＣ電源を整流するダイオードブリッジと、整流した電流を平滑する電解コンデンサーと、前記電解コンデンサーにより平滑されたＤＣ電圧により、圧縮機を駆動するパワーモジュールと、前記ダイオードブリッジにＡＣ電流を供給するＡＣリード線と前記ダイオードブリッジと、前記パワーモジュールと、前記電解コンデンサーと、前記ＡＣリード線が取り付けられるプリント配線板と、前記ダイオードブリッジと、前記パワーモジュールに取り付けられる放熱板と、前記放熱板が前記通風回路側に露出するように前記プリント配線板を収納する電源箱の、前記放熱板の構成要素として薄板から構成される複数の放熱フィンの延長方向に対向する電源箱の縁辺部に、前記複数の放熱フィン相互間の間隔部分に向けて、複数の板状の突起を備えたものである。
【０００７】
また本発明は、前記放熱板の構成要素として複数設けられた放熱フィンの延長方向に対向する電源箱の縁辺部に、前記放熱板に複数設けられた放熱フィン相互間の間隔部分に向けて設けられた複数の板状の突起を、その先方に行くに従いその幅を細くしたものである。
【０００８】
また本発明は、前記放熱板の構成要素として複数設けられた放熱フィンの延長方向に対向する電源箱の縁辺部に、前記放熱板に複数設けられた放熱フィンと直角をなし、前記放熱フィンと同じ方向に突出した水平方向の壁状突起を設け、かつ、この壁状突起と前記放熱フィン相互間の間隔部分に向けて設けられた、前記複数の板状の突起とをリブで連結したものである。
【発明の効果】
【０００９】
プリント配線板と放熱部品を収納し、前記放熱部品の放熱フィンを鉛直方向に配置して通風回路側に露出させる開口部をもつ電源箱の、前記複数設けられた放熱フィンの上端側と対向する電源箱開口部の縁辺部に、前記放熱フィン相互間の間隔部分に向けて、複数の板状の突起を備えたことにより、放熱フィンへの冷却空気の流れを妨げることなく、効果的な冷却を実現するとともに、開口部に生じる隙間を極小化し、雨水がプリント基板収納部側へ浸入することを防止できる。
【００１０】
また、前記複数の板状突起を、先端に行くに従い幅が細くなる形状としたことにより、雨水を放熱フィンの間隔部分に確実に導くことができる。
【００１１】
また、複数の放熱フィンの上端側と対向する電源箱開口部の辺縁部で、水平方向の壁状突起を前記放熱フィンと同じ方向に向かって突設し、さらに、前記壁状突起と前記放熱フィン相互間の間隔部分に向かって延設されたそれぞれの板状突起とを連結するリブを設けたことにより、上方から降り注ぐ雨水を遮断し、かつ、前記水平方向のリブ上方に滞留する雨水を、複数の板状の突起を経由させ、放熱フィンの間隔部分に確実に導くことができる。
【図面の簡単な説明】
【００１２】
【図１】本発明の実施の形態１における電源装置の要部斜視図
【図２】本発明の実施の形態１における電源装置の要部斜視図
【図３】本発明の実施の形態１における電源装置の要部斜視図
【図４】本発明の実施の形態１における空気調和機の分解斜視図
【図５】本発明の実施の形態２における電源装置の要部斜視図
【図６】本発明の実施の形態３における電源装置の要部斜視図
【図７】従来の空気調和機用電源装置の要部断面図
【発明を実施するための形態】
【００１３】
第１の発明はＡＣ電源を整流する発熱部品としてのダイオードブリッジと、整流した電流を平滑する電解コンデンサーと、前記電解コンデンサーにより平滑されたＤＣ電圧により、圧縮機を駆動する発熱部品としてのパワーモジュールと、前記ダイオードブリッジにＡＣ電流を供給するＡＣリード線と、前記ダイオードブリッジ、前記パワーモジュール、前記電解コンデンサー、前記ＡＣリード線が取り付けられるプリント配線板と、前記ダイオードブリッジおよび前記パワーモジュールに取り付けられる放熱部品とを有し、前記放熱部品が前記通風回路側に露出するように前記プリント配線板を電源箱に収納する電源装置に関し、前記放熱部品の構成要素として複数設けられた放熱フィンの延長方向に対向する、電源箱の縁辺部に、前記放熱板に複数設けられた放熱フィンの間隔部分に向けて、複数の板状の突起を備えたものである。
【００１４】
第２の発明は、第1の発明において、放熱フィン相互間の間隔部分に向けて設けられた、複数の板状の突起の形状を、先端に行くに従い幅が細くなるようにしたものである。
【００１５】
第３の発明は、第1又は第２の発明において、前記放熱フィンの延長方向上端側に対向する電源箱開口部の縁辺部に、前記放熱フィンと同方向に突出した水平方向の壁状突起を設け、かつ、この壁状突起と放熱フィン相互間の間隔部分に向けて設けられた複数の板状の突起とをリブで連結したものである。
【００１６】
第４の発明は、前記電源装置を空気調和機に搭載したものである。
【００１７】
（実施の形態１）
図１は、本発明の実施の形態１における、空気調和機用電源装置の要部斜視図、図２は本発明の実施の形態１における空気調和機用電源装置の電装品収納部側から見た要部斜視図、図３は本発明の実施の形態１における空気調和機用電源装置の通風回路側から見た要部斜視図、図４は本発明の実施の形態１における空気調和機の分解斜視図である。
【００１８】
図１乃至図４において、ＡＣ電源を整流する発熱部品としてのダイオードブリッジ１と、整流した電流を平滑する電解コンデンサー２と、電解コンデンサー２により平滑されたＤＣ電圧により圧縮機を駆動する発熱部品としてのパワーモジュール３と、ダイオードブリッジ１、パワーモジュール３及び電解コンデンサー２が取り付けられるプリント配線板４と、ダイオードブリッジ１およびパワーモジュール３に取り付けられる放熱板５ａとが電源箱６に収納されており、放熱フィン５ｂは電源箱６に設けられた開口部７から、通風回路に露出させるように配置されている。
【００１９】
複数の放熱フィン５ｂを通風回路に露出させるための開口部７の、放熱フィン延長方向に対向する電源箱６の縁辺部には、放熱板５ａに設けられた隣り合う放熱フィン５ｂの間隔部分８に向けて、複数の板状の突起９を備えている。
【００２０】
本発明の電源装置は図４の様にプリント配線板４が鉛直方向になり、かつ突起９を持つ開口部７の延辺部が上方になるように空気調和機本体に取り付けがなされる。放熱フィン５ｂは通風回路に露出しているため、降雨も直接注がれることになるが、突起９により、放熱板５ａと、電源箱６の開口部７との隙間を覆うことができ、放熱フィン５ｂへの冷却空気の流れを妨げることなく、雨水が放熱板５ａと、電源箱６との隙間から浸入することを防止できる。
【００２１】
（実施の形態２）
図５は、本発明の実施の形態２における、空気調和機用電源装置の要部斜視図である。
【００２２】
放熱フィン５ｂを通風回路に露出させるための開口部７の、放熱フィン５ｂの延長方向に対向する、電源箱６の縁辺部に、前記放熱板５ａに複数設けられた放熱フィン５ｂの間隔部分８に向けて設けられた、複数の板状の突起９は、その先方に行くに従いその幅を細くしている。突起９により、放熱板５ａと、電源箱６の開口部７との隙間を覆い、かつ、雨水が突起９に滞留することを防ぎ、効果的に放熱フィン５ｂの間隔部分８に雨水を導くことができる。
【００２３】
（実施の形態３）
図６は、本発明の実施の形態３における、空気調和機用電源箱の要部斜視図である。
【００２４】
放熱フィン５ｂを通風回路に露出させるための開口部７の、放熱フィン５ｂの延長方向に対向する、電源箱６の縁辺部に、放熱フィン５ｂと同方向に突出した水平方向の壁状突起１０を設け、かつ、この壁状突起１０と隣り合う放熱フィン５ｂ相互の間隔部分８に向けて設けられた複数の板状の突起９とをリブ１１で連結している。壁状突起１０により放熱板５ａと、電源箱６の開口部７との隙間に直接雨水が注ぐことを回避し、さらにリブ１０の上方に滞留する雨水は、リブ１１により、確実に突起９へと導き、その後隣り合う放熱フィン５ｂ相互の間隔部分８に導かれる。これにより、放熱フィン５ｂへの冷却空気の流れを妨げることなく、雨水が放熱板５ａと、電源箱６との隙間から浸入することを防止できる。
【００２５】
以上のように、電装品の効率的な冷却が可能となり、ダイオードブリッジ１とパワーモジュール３の容量を抑え、コスト低減と、部品信頼性の向上が図れると同時に、電装品収納側への雨水の浸入を低減させ、雨水の浸入に起因する、電気回路への悪影響を回避でき
る。
【産業上の利用可能性】
【００２６】
以上のように、本発明にかかる空気調和機用電源箱および空気調和機は、パワーモジュールとダイオードブリッジの効率的な冷却が可能であり、空気調和機室外機の構成上、プリント配線板を含む電源箱を鉛直方向に取り付ける場合、放熱板を送風回路側に露出させるための開口部から、雨水等が、電装品収納部側へ浸入することを防ぎ、雨水防水あるいは、浸入した水の安全な排出が可能であることから空気調和機ばかりでなく、冷凍サイクル応用機器、すなわち除湿機や、乾燥機にも適用できる。
【符号の説明】
【００２７】
１    ダイオードブリッジ
２    電解コンデンサー
３    パワーモジュール
４    プリント配線板
５ａ  放熱板
５ｂ  放熱フィン
６    電源箱
７    開口部
９    突起
１０  壁状突起
１１  リブ
【図１】
2011058726.tif 000003
【図２】
2011058726.tif 000004
【図３】
2011058726.tif 000005
【図４】
2011058726.tif 000006
【図５】
2011058726.tif 000007
【図６】
2011058726.tif 000008
【図７】
2011058726.tif 000009